(57)【要約】【課題】  入口の大きさを容易に拡げることができるフレキシブルコンテナバッグを提供する。【解決手段】  正多角形の底面１ａを有する切頭多角錐形の形状に形成した立体であって、隣り合う側面２の一部どうしを縫い合わせて形成した立体を、フレキシブルコンテナバッグ１の本体とし、この本体の側辺に袋状の羽根が形成されていて、この袋状の羽根にある縫製部１ｄから糸を引っ張り出すことで、羽根の袋とじが容易に解除されて、本体上部の入口の大きさを簡単に拡げることができる。【選択図】  図１
2016008056.tif 000002
【特許請求の範囲】
【請求項１】
正多角形の底面と、該底面の各辺を底辺とする複数の二等辺三角形の側面と、からなる正多角錐の上部が切り取られた形状の布製の立体を本体とし、この本体の上面に、該内部空間へ開口する入口が形成されているフレキシブルコンテナバッグにおいて、
上記本体の側辺の位置に、本体の隣り合う側面の一部どうしを縫い合わせることで形成された羽根を有しており、該縫い合わせは、縫製部の一端から外に出ている糸を人間が引っ張ることによって簡単に糸がほどける程度に縫い合わされていることを特徴とするフレキシブルコンテナバッグ。
【請求項２】
正多角形の底面と、該底面の各辺を底辺とする複数の二等辺三角形の側面と、からなる正多角錐の上部が切り取られた形状の布製の立体を本体とし、この本体の上面に、該内部空間へ開口する入口が形成されているフレキシブルコンテナバッグにおいて、
上記本体の側辺の位置に、ジッパーを介して本体の隣り合う側面の一部どうしを結合することによって形成された袋状の羽根を有していることを特徴とするフレキシブルコンテナバッグ。
【発明の詳細な説明】
【技術分野】
【０００１】
本発明は、フレキシブルコンテナバッグに関し、詳しくは、土木工事などの建設工事や水害などの災害発生時に用いられ、土砂などの流動体を収容しても安定して自立可能な大型の柔軟な袋すなわちフレキシブルコンテナバッグに関する。
【背景技術】
【０００２】
大型の土嚢は、擁壁や治水などの土木工事で、例えば、工事途中の溝や穴内に周囲の土砂が流入しないよう流入防止のために配置され、また災害時などには、氾濫した河川の水が宅地や農地などに流入するのを阻止するために使用される。
【０００３】
しかし土嚢は、建設機械や工事車両の接触などによって傷が付きやすいため、１回の使用に限定されることが多かった。
【０００４】
また、フレキシブルコンテナバッグを土嚢や水嚢として使用しようとしても、円柱または角柱の形状のフレキシブルコンテナバッグでは転倒し易いという問題があって、土嚢や水嚢として使用することが難しかった。
【０００５】
このとき、土嚢や水嚢として使用され得るフレキシブルコンテナバッグが、土砂や水などの流動体を収容しても自立することができる柔軟な布から形成されていることが望ましい。
【先行技術文献】
【特許文献】
【０００６】
【特許文献１】特開２００８−２２３２４８号公報
【発明の概要】
【発明が解決しようとする課題】
【０００７】
本発明は、土嚢や水嚢として使用しても転倒しないフレキシブルコンテナバッグであって、該フレキシブルコンテナバッグの上部にある入口の大きさを容易に拡げることができるフレキシブルコンテナバッグを提供することを目的とする。
【課題を解決するための手段】
【０００８】
本発明のフレキシブルコンテナバッグは、正多角形の底面と、該底面の各辺を底辺とする複数の二等辺三角形の側面と、からなる正多角錐の上部が切り取られた形状の布製の立体を本体とし、この本体の上面に、該内部空間へ開口する入口が形成されているフレキシブルコンテナバッグにおいて、上記本体の側辺の位置に、本体の隣り合う側面の一部どうしを縫い合わせることで形成された羽根を有しており、該縫い合わせは、縫製部の一端から外に出ている糸を人間が引っ張ることによって簡単に糸がほどける程度に縫い合わされていることを特徴とする。
【０００９】
すなわち、本発明のフレキシブルコンテナバッグの一実施例においては、縫製部から人間の力で容易に糸を引っ張り出すことができるように、フレキシブルコンテナバッグの隣り合う側面の一部どうしが縫い合わされている。
【００１０】
他の実施例においては、本発明のフレキシブルコンテナバッグは、正多角形の底面と、該底面の各辺を底辺とする複数の二等辺三角形の側面と、からなる正多角錐の上部が切り取られた形状の布製の立体を本体とし、この本体の上面に、該内部空間へ開口する入口が形成されているフレキシブルコンテナバッグにおいて、  上記本体の側辺の位置に、ジッパーを介して本体の隣り合う側面の一部どうしを結合することによって形成された袋状の羽根を有していることを特徴とする。
【００１１】
また、フレキシブルコンテナバッグの入口に閉塞手段が設けられていることを特徴とする。
【００１２】
また、フレキシブルコンテナバッグの底面に閉塞手段が設けられていることを特徴とする。
【００１３】
また、フレキシブルコンテナバッグの本体が水密につくられていることを特徴とする。
【００１４】
そして、フレキシブルコンテナバッグの底面と複数の側面とからなる立体が、本発明のフレキシブルコンテナバッグの本体であり、各側面の形状は、本体の隣り合う側面の一部どうしを結合手段によって結合して各側面が台形になっている。
【００１５】
一例として、隣り合う側面の一部どうしが縫い合わされていることで、各側面が台形の形状になっている。この縫い合わせは、縫製部の一端から出ている糸を人間が引っ張ることによって簡単に糸がほどける程度に縫い合わされている。
【００１６】
あるいは、符号１ｄの位置にジッパー１１を設け、このジッパー１１をスライドさせることで隣り合う側面の一部どうしの結合を解除できるようにしていてもよい。
【００１７】
フレキシブルコンテナバッグ１の側面の底角の大きさは７０度前後（±７度）であり、土砂や水などの被収容物を収容している状態においてバランスを崩して転倒する恐れのある水などの液体や流動体を収容して運搬や設置した場合にも、フレキシブルコンテナバッグの転倒を抑制することができるようにしている。
【００１８】
一例においては、フレキシブルコンテナバッグの内部空間への入口に閉塞手段が設けられていて、例えば、入口の周囲に配した紐体などで絞って閉じる場合もあれば、蓋体で入口を閉じる場合もある。蓋体による閉塞は、紐体やジッパーなどを用いて閉じればよい。
【００１９】
一例においては、フレキシブルコンテナバッグの底面にも閉塞手段が設けられており、例えば、底面の周囲に設けた内部空間への入口の周囲に設けられた紐体などを縛ることで入口を閉じることができる場合、フレキシブルコンテナバッグを吊り上げた後、入口を開いて底面部分から土砂などを排出することができる。
【００２０】
フレキシブルコンテナバッグの上側に、搬送などの際に用いるベルトなどの吊り下げ手段が設けられている。この吊り下げ手段は、収容物が入ったフレキシブルコンテナバッグを吊り下げ支持することができるベルトから構成すればよい。ベルトは、本体の底面と側面に掛け回されるように設けられている場合がある。
【００２１】
また、ベルトは、縫製や溶着などの手段でフレキシブルコンテナバッグの本体に直接取り付けられている場合もあれば、丈夫な素材を介してフレキシブルコンテナバッグの本体に取り付けられている場合もある。
【００２２】
そのようなベルトは、フレキシブルコンテナバッグの四隅の羽根に取り付けられているとよい。
【００２３】
水などの液体や流動体の運搬や保管を目的として本発明のフレキシブルコンテナバッグが使用される場合には、本体が水密につくられているとよい。水密にする手段としては、例えば、合成樹脂製の袋体をフレキシブルコンテナバッグ内に入れて二重構造とし、防水性を有する素材でフレキシブルコンテナバッグの本体を形成し、あるいは、フレキシブルコンテナバッグの素材に防水処理をするという手段がある。防水処理の例としては、フレキシブルコンテナバッグの本体にＥＶＡ樹脂（エチレン−酢酸ビニル共重合樹脂）を圧着する方法などがある。
【００２４】
フレキシブルコンテナバッグの素材としては、例えば、ポリエチレンやポリプロピレンやポリエステルなどの化学繊維の繊維布がある。また、不透明な素材でフレキシブルコンテナバッグを形成する場合、本体の側面などに透明な素材を設けて、フレキシブルコンテナバッグの内部を見ることができるようにしてもよい。
【発明の効果】
【００２５】
本発明のフレキシブルコンテナバッグによれば、フレキシブルコンテナバッグの本体の隣り合う側面の一部どうしを結合している結合手段が人間の力で簡単に解除され、羽根の袋閉じを解除できるので、内部空間への入口の大きさを拡げることができる。よって、例えば、工事が終了して土嚢内の土砂を取り出した後に、該工事で使用した器具や資材をフレキシブルコンテナバッグ内に入れて持ち帰る際などに、収容量の大きな袋として使用することができる。
【００２６】
また、フレキシブルコンテナバッグの隣り合う側面の一部どうしを結合させる手段としてジッパーが用いられる実施例においては、ジッパーをスライドさせるだけで羽根の部分の袋とじ（図６を参照）が解除されるので、繰り返し使用することができるという利点がある。さらに、フレキシブルコンテナバッグの内部を洗浄する際には、ジッパーを下げて、フレキシブルコンテナバッグの内部空間への入口を拡げることで、内部を容易に洗浄することができるという利点もある。
【図面の簡単な説明】
【００２７】
【図１】本発明のフレキシブルコンテナバッグの一実施例を示す斜視図。
【図２】フレキシブルコンテナバッグの側面図。
【図３】本体上部の入口の大きさを拡げたときのフレキシブルコンテナバッグの斜視図。
【図４】本体上部の入口が閉塞可能であるフレキシブルコンテナバッグの斜視図。
【図５】本体上部の入口が閉塞可能であるフレキシブルコンテナバッグの斜視図。
【図６】袋とじを解除して本体上部の入口を拡げることができることを示す図。
【図７】フレキシブルコンテナバッグの使用例を示す図。
【図８】フレキシブルコンテナバッグの使用例を示す図。
【図９】土嚢としての使用例を示す図。
【図１０】土嚢としての設置例を示す図。
【発明を実施するための形態】
【００２８】
本発明のフレキシブルコンテナバッグについて添付の図を参照しつつ説明する。
【００２９】
図１は、底面１ａが正方形で各側面２が台形の形状となっているフレキシブルコンテナバッグ１を示す。図２は、フレキシブルコンテナバッグ１の側面を示す。各側面２の底角２ｂの大きさが約７０度になっている。また、フレキシブルコンテナバッグ１の側辺に位置する羽根５にベルト４が取り付けられていて、このベルト４が、収容物（内容物）の重さに耐える素材で形成されている。さらには、縫製部１ｄの一端から外に出ている糸の端１ｃを人間の力で引っ張ることによって縫製部１ｄの糸が容易にほどけ、縫い合わされていた羽根の部分が自由になる。
【００３０】
図３は、縫製部１ｄの糸をほどいて縫い合わされていた羽根の部分を自由にし、フレキシブルコンテナバッグの内部空間への入口３の大きさを拡げた状態を示している。
【００３１】
図４および図５は、フレキシブルコンテナバッグ１の内部空間への入口３に閉塞手段を備えている実施例を示している。図４に示される実施例においては、入口３の周囲に設けられた紐体６を縛ると該入口３が閉塞される。また、図５に示される実施例においては、フレキシブルコンテナバッグ１に収容された布体７の開口７ａ付近に配された紐体６を縛ることで該布体７の開口７ａが閉塞される。
【００３２】
紐体６と代替的に、閉塞手段としてジッパーを用いる場合があり、その場合、ジッパーをスライドさせて入口３の開口または布体７の開口７ａを開け閉めする。
【００３３】
フレキシブルコンテナバッグ１の隣り合う側面２の一部どうしの結合についても、縫糸の代替としてジッパーを用いる場合がある。
【００３４】
図６は、側辺の一つにジッパー１１を有するフレキシブルコンテナバッグ１をバッグの内側から見た図である。図６に示される実施例においては、ジッパー１１を下げてフレキシブルコンテナバッグ１の隣り合う側面の一部どうしの結合を解除することによって羽根５の袋とじを解除できるようになり、これによって、フレキシブルコンテッグ１の上部の入口の開口部の大きさを拡げることができる。
【００３５】
フレキシブルコンテナバッグ１の８割ほどの高さまで水を注いだ際にも、該フレキシブルコンテナバッグ１は転倒しなかった。正方形の底面を有するフレキシブルコンテナバッグ１については、底辺１ａの長さ：内部空間への入口３の一辺の長さの比を１００：３５とし、側面２の底角２ｂの大きさが７０度前後の大きさに形成されたフレキシブルコンテナバッグが最も転倒しにくい形状であった。
【００３６】
図７は、フレキシブルコンテナバッグの使用例を示している。外部ホッパー９にはフレキシブルコンテナバッグを吊り下げるのに使用するフック１０があり、このフック１０にベルト４を引っ掛けた後、外部ホッパー９から土砂などの資材をフレキシブルコンテナバッグ内に投入することができる。
【００３７】
図８に示される実施例においては、フレキシブルコンテナバッグの底面１ａに取出開口部１ｅを備えている。この実施例においては、フレキシブルコンテナバッグの底面１ａにある取出開口部１ｅが通常は閉塞されていて（図８（ａ）を参照）、この取出開口部１ｅの閉塞を解除すると内容物を取り出せるようになっている（図８（ｂ）を参照）。
【００３８】
図９は、土嚢として使用されているフレキシブルコンテナバッグを示す図である。図９においては、土嚢が前後２列に設置されており、前列の土嚢と土嚢との間に生じる空間に後列の土嚢の正面が位置するように配置されている。
【００３９】
図１０（ａ）図においては、土嚢と土嚢との間に、上下逆さにされた土嚢が設置されている。図１０（ｂ）においては、土嚢が２段重ねにされている。
【符号の説明】
【００４０】
１…フレキシブルコンテナバッグ
１ａ…底面
１ｂ…底辺
１ｃ…糸の端
１ｄ…縫製部
１ｅ…取出開口部
２…側面
２ａ…側辺
２ｂ…底角
３…入口
４…ベルト
５…羽根
６…紐体
７…布体
７ａ…開口
９…外部ホッパー
１０…フック
１１…ジッパー
【図１】
2016008056.tif 000003
【図２】
2016008056.tif 000004
【図３】
2016008056.tif 000005
【図４】
2016008056.tif 000006
【図５】
2016008056.tif 000007
【図６】
2016008056.tif 000008
【図７】
2016008056.tif 000009
【図８】
2016008056.tif 000010
【図９】
2016008056.tif 000011
【図１０】
2016008056.tif 000012